(57)【特許請求の範囲】
【請求項１】
車台(1)と、
当該車台(1)に搭載されているエンジン(2)と、
該エンジン(2)で駆動される草刈用のカッター(7,7a)と、
平面視で進行方向と平行な方向から進行方向と交わる方向に所要角度で軸線方向を変えることができる操作ハンドル(6)と、
草刈作業機の進行方向においてカッター(7,7a)の前方又は後方に設けてあり、刈草の飛散を止めるカバー(73)と、
前記操作ハンドル(6)の軸線方向が草刈作業機の進行方向と平行であるときに前記カバー(73)を閉じ、前記操作ハンドル(6)を回動させて軸線方向が進行方向と交差したときにカバー(73)を開くカバー開閉手段(61)と、
を備えており、
前記エンジン(2)のシリンダーは、シリンダーの軸線方向が、前記操作ハンドル(6)の軸線方向が進行方向と交わる方向に変わる側において前記車台(1)の方向に対して鋭角に所要角度で傾斜させてある、
草刈作業機。
【請求項２】
前記エンジン(2)が４サイクルエンジンであり、該エンジン(2)のシリンダーの下方には潤滑油を溜める油溜室(21)が設けられ、該油溜室(21)には、潤滑油注入口を兼ねるゲージ管(22)が設けられている、
請求項１記載の草刈作業機。
【請求項３】
前記油溜室(21)に潤滑油を注入する潤滑油注入口が、前記油溜室(21)から上方へ所要長さに延長されたゲージ管(22)の先端部に形成されている、
請求項２記載の草刈作業機。
【請求項４】
前記エンジン(2)のシリンダーの軸線の角度が車台の方向に対して４０°乃至５０°の範囲内で設定されている、
請求項１、２又は３記載の草刈作業機。
【請求項５】
燃料タンク(24)を有し、該燃料タンク(24)の燃料注入口が上方へ所要長さに延長された延長管(25)の先端部に形成されている、
請求項１、２、３又は４記載の草刈作業機。
【発明の詳細な説明】
【技術分野】
【０００１】
本発明は、草刈作業機に関するものである。更に詳しくは、従来のような傾斜地の傾斜に合わせてエンジンを水平に保つようにしたものより簡易で軽量な構造とし、これにより故障が発生しにくくメンテナンスが容易であると共に、傾斜地での草刈作業時に転倒モーメントが大きくならないようにして走行を安定させることにより、作業中の転倒を防ぎ、安全性を向上させた草刈作業機に関する。
【背景技術】
【０００２】
草刈作業機等、エンジンを備えた農業用作業機は、平地だけでなく法面等の傾斜地で作業を行う場合がある。一般的な農業用作業機は、重量物であるエンジンが車台の上に固定されているために、傾斜地で作業機が傾くと、重量バランスが悪くなって走行時のコントロールがしにくくなるので、作業を行うには十分な注意が必要であった。
【０００３】
そこで、エンジンのマウント部を可動式とし、傾斜地の傾斜に合わせてエンジンの重心を移動させて重量バランスをとると共に、平地だけでなく法面等の傾斜地においてもエンジンの潤滑油の供給が安定的に行われるようにして、作業が安全にできるようにした草刈作業機等の農業用作業機が提案されている。このような農業用作業機としては、例えば本出願人が提案した特許文献１記載に開示された農業用機械（草刈機）がある。
【０００４】
この草刈機は、草刈機本体とハンドルを備え、草刈機本体はカバーを有し、カバー下部にはカッターが設られ、カバー上部には４サイクルエンジン、クラッチボックス及びミッションケース等が設けられ、エンジンは下部に設けられている案内プレートと、クラッチボックスとの間に設けられた回動取付装置によってカバーに対して回動自在に取り付けられてエンジンが常時水平に保たれるようになっており、４サイクルエンジンを搭載した草刈機が傾斜地でも潤滑油の供給が十分な状態で使用できるというものである。
【先行技術文献】
【特許文献】
【０００５】
【特許文献１】特開２００６−６２２２
【発明の概要】
【発明が解決しようとする課題】
【０００６】
前記特許文献１記載の農業用機械は、４サイクルエンジンを搭載した草刈機等の農業用機械を法面等の傾斜地でも潤滑油の供給が十分な状態で使用できるようにするという目的を達成するためには十分に有用である。しかしながら、次のような課題及び改良の余地があることも分かってきた。
【０００７】
すなわち、４サイクルエンジンのマウント部を可動式とすると、構造が複雑になるために故障の原因になりやすく、メンテナンスを行うのにも相当な手間がかかっていた。また、構造が複雑で部品点数が増えるので、その分だけ重量が重くなり、特に傾斜角度が大きい傾斜地での作業においては、依然、重量バランスが取りにくいという問題もあった。
【０００８】
（本発明の目的）
本発明は、従来のような傾斜地の傾斜に合わせて４サイクルエンジンを水平に保つようにしたものより簡易で軽量な構造とし、これにより故障が発生しにくくメンテナンスが容易であると共に、傾斜地での草刈作業時に転倒モーメントが大きくならないようにして走行を安定させることにより、作業中の草刈作業機の転倒を防ぎ、安全性を向上させた草刈作業機を提供する。
【課題を解決するための手段】
【０００９】
（１）本発明は、
車台と、
当該車台に搭載されているエンジンと、
該エンジンで駆動される草刈用のカッターと、
平面視で進行方向と平行な方向から進行方向と交わる方向に所要角度で軸線方向を変えることができる操作ハンドルと、
草刈作業機の進行方向においてカッターの前方又は後方に設けてあり、刈草の飛散を止めるカバーと、
前記操作ハンドルの軸線方向が草刈作業機の進行方向と平行であるときに前記カバーを閉じ、前記操作ハンドルを回動させて軸線方向が進行方向と交差したときにカバーを開くカバー開閉手段と、
を備えており、
前記エンジンのシリンダーは、シリンダーの軸線方向が、前記操作ハンドルの軸線方向が進行方向と交わる方向に変わる側において前記車台の方向に対して鋭角に所要角度で傾斜させてある、
草刈作業機である。
【００１０】
（２）本発明は、
エンジンが４サイクルエンジンであり、該エンジンのシリンダーの下方には潤滑油を溜める油溜室が設けられ、当該油溜室には、潤滑油注入口を兼ねるゲージ管が設けられている、
前記（１）の草刈作業機である。
【００１１】
（３）本発明は、
油溜室に潤滑油を注入する潤滑油注入口が、前記油溜室から上方へ所要長さに延長されたゲージ管の先端部に形成されている、
前記（２）の草刈作業機である。
【００１２】
（４）本発明は、
エンジンのシリンダーの軸線の角度が車台の方向に対して４０°乃至５０°の範囲内で設定されている、
前記（１）、（２）又は（３）の草刈作業機である。
【００１３】
（５）本発明は、
燃料タンクを有し、当該燃料タンクの燃料注入口が上方へ所要長さに延長された延長管の先端部に形成されている、
前記（１）、（２）、（３）又は（４）の草刈作業機である。
【００１４】
（削除）
【００１５】
（作用）
本発明に係る草刈作業機の作用を説明する。なお、ここでは、説明で使用する各構成要件に、後述する実施の形態において各部に付与した符号を対応させて付与するが、この符号は、特許請求の範囲の各請求項に記載した符号と同様に、あくまで内容の理解を容易にするためであって、各構成要件の意味を上記各部に限定するものではない。
【００１６】
草刈作業機は、草地が例えば河川敷のような平地である場合も、堤防の法面のような傾斜地である場合も草刈作業を行うことができる。
草刈作業機を使用して、水平又はほぼ水平な草地の草刈作業を行う場合は、操作ハンドル(6)の軸線方向を平面視で進行方向と平行にして、草刈作業機を前進させながら行うようにする。
このとき、車台(1)は水平又はほぼ水平であり、エンジン(2)のシリンダーは軸線方向が車台(1)の方向に対して鋭角に所要角度で傾斜しているが、油溜室(21)内の潤滑油は、回転するクランクに取り付けられている爪部材（図示省略）で掻き上げられて微細化することができる。これにより、潤滑油がシリンダー内部やクランク軸等に供給され、エンジン(2)内の各可動部の潤滑と冷却が十分に行われることにより、エンジン(2)は円滑に作動する。
【００１７】
また、草刈作業機を使用して、傾斜した草地の草刈作業を行う場合には、操作ハンドル(6)の軸線方向を前記平面視で進行方向と平行な方向から進行方向と交わる方向、例えば直角方向に方向を変えて、その角度で固定する。草刈作業機の進行方向は、通常は草地の傾斜方向と直角方向であり、草地において大体同じ高さの部分を走行することになる。
【００１８】
なお、操作ハンドル(6)は、少なくともエンジン(2)のシリンダーが傾斜している側と同じ側へ回動されるようになっている。したがって、操作ハンドル(6)を操作する作業者は、傾斜した草地において草刈作業機の傾斜上方側に立って作業を行う。また、操作ハンドル(6)は、エンジン(2)のシリンダーが傾斜している側と反対側へ回動できるようにしてもよい。
【００１９】
このとき、車台(1)は傾斜した草地と平行又はほぼ平行であり、エンジン(2)はシリンダーの軸線方向が、操作ハンドル(6)の軸線方向が変わる側（平面視で操作ハンドル(6)の軸線方向が進行方向と交わる方向）において車台(1)の方向に対して鋭角になるように、例えば４０°乃至５０°の範囲で傾斜している。
【００２０】
すなわち、シリンダーの軸線方向は、水平方向に対しては、軸線の角度が起き上がる方向へ例えば３０°動くことで（草地の傾斜角度が３０°である場合）、シリンダーの軸線の角度が鉛直線方向（重力方向）に近い角度「７０°〜８０°」になり、４０°動けば（草地の傾斜角度が４０°である場合）、鉛直線方向又は鉛直線方向により近い角度「８０°〜９０°」になる。
【００２１】
このように、傾斜地での草刈作業において、傾斜した草刈作業機のエンジン(2)のシリンダーの軸線方向が鉛直線方向により近付くことで、転倒モーメントが大きくならないようにすることができ、作業時における重量バランスが取りやすくなり、草刈作業機の走行が安定して転倒しにくくなるので、安全性が向上する。
【００２２】
また、エンジン(2)のシリンダーの軸線方向が鉛直線方向に近くなった状態でも、油溜室(21)の潤滑油の液面は、通常の作業条件（例えば、平地から４０°〜５０°程度の傾斜地）であれば、回転するクランクが接触できる高さにある。これにより、潤滑油の掻き上げによる微細化と、微細化した潤滑油のエンジン(2)のシリンダー内部やクランク軸等への供給が十分に行われるようになっており、エンジン(2)内の各可動部の潤滑と冷却を支障なく行うことができるので、エンジン(2)は円滑に作動する。
【００２３】
さらに、従来のような、傾斜地の傾斜に合わせてエンジンを水平に保つ機構が不要となり、したがって簡易で軽量な構造となっており、故障が発生しにくくメンテナンスが容易である。
【００２４】
燃料タンク(24)を有し、燃料タンク(24)の燃料注入口が上方へ所要長さに延長された延長管(25)の先端部に形成されているものは、傾斜地での草刈作業において、燃料注入口に装着されているキャップ(26)が作業中に仮に緩んでも、通常は燃料の液面の高さが延長管(25)の燃料注入口より低いので、燃料の漏出を防止することができる。
また、草刈作業機を傾斜させたままで給油を行う必要が生じた場合、燃料タンク(24)の内部の最も高い部分が延長管(25)先端部の燃料注入口の高さより低ければ、燃料タンク(24)の容量のほぼ一杯まで給油することができる。
【００２５】
油溜室(21)に潤滑油を注入する潤滑油注入口が油溜室(21)から斜め上方へ所要長さに延長されたゲージ管(22)の先端部に形成されているものは、草刈作業機を平地に置いた場合において、油溜室(21)内に注入できる潤滑油の量を、ゲージ管が従来のように短い場合に比べて増やすことができる。
【００２６】
これにより、油溜室(21)内の潤滑油の液面がより高くなるので、草地の傾斜の変化に伴って液面の傾斜に多少の変化があっても、油溜室(21)内の潤滑油は、回転するクランクによって掻き上げられて微細化し、エンジン(2)のシリンダー内部やクランク軸等への供給が十分に行われるようになっており、エンジン(2)内の各可動部の潤滑と冷却を支障なく行うことができるので、エンジン(2)は円滑に作動する。
【００２７】
草刈作業機の進行方向において、カッター(7,7a)の前方又は後方に刈草の飛散を止めるカバーを備えており、操作ハンドルの軸線方向が草刈作業機の進行方向と平行であるときにカバーを閉じ、操作ハンドルを回動させて軸線方向が進行方向と交差したときにカバーを開くカバー開閉手段を備えているものは、操作ハンドル(6)の軸線方向が草刈作業機の進行方向と平行で通常の前進状態のときは、カバー(73)が閉じることで、例えば小石などをカッター(7,7a)が跳ね飛ばしたときにも草刈作業機の後方にいる作業者の安全を図ると共に、傾斜地走行で操作ハンドル(6)を回動させて軸線方向が進行方向と交差する方向になり作業者の位置が変わると、カバー(73)が開いて、刈草を作業者のいない後方へ効率よく排出できる。
【発明の効果】
【００２８】
本発明は、エンジンのシリンダーの軸線方向が、操作ハンドルの軸線方向が進行方向と交わる方向に変わる側において、車台の方向に対して鋭角に所要角度で傾斜させてある構造を有し、草地が例えば河川敷のような平地である場合も、堤防の法面のような傾斜地である場合も支障なく草刈作業を行うことができる。したがって、従来のような傾斜地の傾斜に合わせてエンジンを水平に保つ機構が不要となり、したがって簡易で軽量な構造となっており、故障が発生しにくくメンテナンスが容易である。
また、本発明の草刈作業機は、傾斜地での草刈作業時にシリンダーの軸線方向が鉛直線方向に近付くことにより、転倒モーメントが大きくならないので、重量バランスが取りやすく、走行を安定させることができる。これにより、作業中の草刈作業機の転倒を防ぐことができるので、安全性を向上させることができる。
【図面の簡単な説明】
【００２９】
【図１】本発明に係る草刈作業機の一実施の形態を示す後方斜視図。
【図２】草刈作業機の前方斜視図。
【図３】草刈作業機の操作ハンドルを進行方向に対し直交する方向へ回動させた状態を示す後方斜視図。
【図４】傾斜した草地で草刈作業を行っている状態を示す説明図。
【発明を実施するための形態】
【００３０】
本発明を図面に示した実施の形態に基づき詳細に説明する。
図１乃至図４を参照する。
草刈作業機Ａは、車台１と、車台１の上側に取り付けられているエンジン２と、駆動輪である前輪３及び後輪４と、エンジン２の動力を前輪３及び後輪４に伝える動力伝達系５と、操作ハンドル６を備えている。また、車台１の下側に二基の水平回転式のカッター７、７ａ（図４参照）が並設されている。
【００３１】
エンジン２は４サイクルエンジンであり、シリンダーブロック２０を有している。シリンダーブロック２０内のシリンダー（図では見えない）の軸線方向が車台１の方向（草刈作業機Ａを水平面に置いたときに水平方向となる）に対し４０°の角度で傾斜するように取り付けられている（図１、図４を参照）。また、シリンダーの傾斜方向は、平面視においては草刈作業機Ａの進行方向（前進方向）に対し右側へ９０°（直交する方向）に設定されている。なお、エンジン２は、本実施の形態では単気筒であるが、二気筒以上のエンジンを採用することもできる。また、４サイクルエンジンの他に２サイクルエンジンを採用することもできる。
【００３２】
エンジン２のシリンダーの下方には、潤滑油を溜める油溜室２１が設けられている。油溜室２１の底部において、シリンダーの軸線方向と交わる部分の外側には、車台１が水平方向である場合において斜め上方を向くように、所要長さのゲージ管２２が形成されている。ゲージ管２２は円管形であり、通常のものよりも長くなるように形成されている。ゲージ管２２の先端部には、潤滑油注入口（図では見えない）が設けられている。ゲージ管２２には、潤滑油注入口を液密に塞ぐようにして油溜室２１内の油量を計るゲージ２３が挿着されている。
【００３３】
また、草刈作業機Ａが、エンジン２のシリンダーが起き上がる方向に所要角度で傾斜したときにも、油溜室２１に溜まっている潤滑油の液面は、通常の作業条件（例えば、平地から４０°〜５０°程度の傾斜地）であれば、回転するクランクが接触できる高さにある。これにより、潤滑油の掻き上げによる微細化と、微細化した潤滑油のエンジン２のシリンダー内部やクランク軸等への供給が十分に行われるようになっており、エンジン２内の各可動部の潤滑と冷却を支障なく行うことができるので、エンジン２は円滑に作動する。
【００３４】
車台１の上側には、エンジン２に隣接して燃料タンク２４が取り付けられている。燃料タンク２４の上部には、車台１が水平方向である場合において鉛直線方向の上方へ向けて所要長さの円管形の延長管２５が設けられている。延長管２５の先端部には燃料注入口（図では見えない）が設けられており、燃料注入口にはキャップ２６が装着されている。
【００３５】
前記操作ハンドル６は所要の長さを有し、車台１の後部側、すなわち草刈作業機Ａの進行方向（前進方向）とは反対側に取り付けられている。操作ハンドル６には、先部（手元となる側）に各種操作部（符号省略）が設けられている。操作ハンドル６は、基端部が上下方向及び水平方向に所要の角度で回動できるように取り付けられている。操作ハンドル６の軸線方向の水平方向の角度は、草刈作業機Ａの進行方向（前進方向）に対し左側９０°から右側９０°までの範囲で調節できるように構成されている。
【００３６】
また、車台１には、前記カッター７、７ａの周りの前後及び左右の四箇所にカバーが設けられている。カバーは、車台１の草刈作業機Ａの進行方向（前進方向）において左右両側に前記前輪３と後輪４より外側へ張り出すように設けられたサイドカバー７０、７１と、両前輪３の間に設けられた前部カバー７２と、両後輪４の間に設けられた後部カバー７３で構成されている。前部カバー７２は、変形可能なゴム製である。後部カバー７３は、上部側の軸支部（符号省略）を中心として上下方向へ昇降回動自在な金属製の上カバー７３０と、その下部に取り付けられている変形可能なゴム製の下カバー７３１で構成されている。
【００３７】
後部カバー７３は、上下方向へ昇降回動することでカッター７、７ａの後方側（進行方向とは反対側）を開閉することができる構造である。また、昇降開閉機構部は、前記操作ハンドル６の水平方向に回動する動きと連動するようになっている。具体的には、操作ハンドル６の基部側下部にワイヤ掛け具６０が設けられ、前記後部カバー７３の上カバー７３０の下部の幅方向中央にワイヤ掛け具７４が設けられており、ワイヤ掛け具６０とワイヤ掛け具７４は引っ張りワイヤ６１で接続されている。ワイヤ掛け具６０、７４及び引っ張りワイヤ６１はカバー開閉手段を構成する。なお、カバー開閉手段は、本実施の形態に限定するものではなく、前記のように操作ハンドル６と後部カバー７３を連動させることができれば、公知の各種手段を採用することができる。
【００３８】
ワイヤ掛け具６０、７４の位置及び引っ張りワイヤ６１の長さは、操作ハンドル６の軸線方向が草刈作業機Ａの進行方向と平行であるとき（通常の前進状態）には、図１に示すように後部カバー７３が下降してカッター７、７ａの後方側を閉じ、操作ハンドル６の軸線方向が草刈作業機Ａの進行方向と直角であるときは、図３に示すように後部カバー７３が上昇してカッター７、７ａの後方側を所要の開度で開けるように設定されている。
【００３９】
すなわち、操作ハンドル６の軸線方向が草刈作業機Ａの進行方向と平行で通常の前進状態のときは、後部カバー７３が閉じることで、例えば小石などをカッター７、７ａが跳ね飛ばしたときにも草刈作業機Ａの後方にいる作業者の安全を図ると共に、傾斜地走行で操作ハンドル６を回動させて軸線方向が進行方向と交差する方向になり作業者の位置が変わると、後部カバー７３が開いて、刈草を作業者のいない後方へ効率よく排出できるようにしてある。また、草刈作業機Ａの進行方向が後部カバー７３が前側になる方向に変わった場合は、後部カバー７３が開くと、入ってくる草の抵抗を低減できる利点もある。これにより、傾斜地での草刈作業において、各カバー７０、７１、７２、７３の内側で飛散し溜まりやすくなる刈草の抵抗によりカッター７、７ａやエンジン２にかかる負荷を軽減できるようにしている。
【００４０】
（作用）
図１乃至図４を参照して草刈作業機Ａの作用を説明する。
草刈作業機Ａを使用して、水平又はほぼ水平な草地の草刈作業を行う場合は、操作ハンドル６の軸線方向を平面視で進行方向と平行にして、草刈作業機Ａを前進させながら行うようにする。このとき、車台１は水平又はほぼ水平であり、エンジン２のシリンダーは軸線方向が車台１の方向に対して４０°で傾斜しているが、前記したように油溜室２１内の潤滑油は、回転するクランクにより掻き上げられて微細化し、シリンダー内部やクランク軸等の可動部に十分に供給されるようになっており、エンジン２は円滑に作動する。
【００４１】
また、草刈作業機Ａを使用して、例えば４０°傾斜した草地の草刈作業を行う場合には、まず操作ハンドル６の軸線方向を前記平地での作業時における平面視で進行方向と平行な方向から、エンジン２のシリンダーが傾斜している側かつ進行方向と直角方向に方向を変えて、その角度で固定する。これによって、作業者が歩行するところが傾斜した草地の草刈作業機Ａより高いところに変わり、前記したように後部カバー７３が上方へ回動して開き、刈草が後方側へ排出されるようになる。
【００４２】
また、草刈作業機Ａの進行方向は、通常は草地の傾斜方向と直角方向であり、草地において大体同じ高さの部分を走行する。このとき、車台１の傾き方向は傾斜した草地と平行又はほぼ平行であり、エンジン２はシリンダーの軸線方向が、操作ハンドル６の軸線方向が変わる側（平面視で操作ハンドル６の軸線方向が進行方向と交わる方向）において、車台１の方向に対して４０°で傾斜しているので、シリンダーの軸線方向は、水平方向に対しては、軸線の角度が起き上がる方向へ４０°動くことになり、鉛直線方向に近い角度である８０°になる。
【００４３】
このように、傾斜地での草刈作業において、傾斜した草刈作業機Ａのエンジン２のシリンダーの軸線方向が鉛直線方向により近付くことで、作業時における重量バランスが取りやすくなり、草刈作業機Ａの走行が安定して転倒しにくくなるので、安全性が向上する。また、従来のような傾斜地の傾斜に合わせてエンジンを水平に保つようにしたものより簡易で軽量な構造となっており、故障が発生しにくくメンテナンスが容易である。
【００４４】
燃料タンク２４の燃料注入口は、燃料タンク２４から上方へ延長された延長管２５の先端部に形成されているので、傾斜地での草刈作業において、燃料注入口に装着されているキャップ２６が作業中に仮に緩んでも、通常は燃料の液面の高さが延長管２５の燃料注入口より低いので、燃料の漏出を防止することができる。さらに、草刈作業機Ａを傾斜させたままで給油を行う必要が生じた場合、燃料タンク２４内部の最も高い部分が延長管２５の先端部の燃料注入口の高さより低ければ、燃料タンク２４の容量のほぼ一杯まで給油することができる利点もある。
【００４５】
さらに、油溜室２１に潤滑油を注入する潤滑油注入口が油溜室２１から斜め上方へ所要長さに延長されたゲージ管２２の先端部に形成されているので、草刈作業機Ａを平地に置いた場合において、油溜室２１内に注入できる潤滑油の量を、ゲージ管が従来のように短い場合に比べて増やすことができる。
【００４６】
これにより、油溜室２１内の潤滑油の液面をより高くすることができる。したがって、草地の傾斜の変化に伴って液面の傾斜に変化があっても、通常の作業条件（例えば、平地から４０°〜５０°程度の傾斜地）であれば、潤滑油の液面は回転するクランクが接触できる高さにある。これにより、潤滑油の掻き上げによる微細化と、微細化した潤滑油のエンジン２のシリンダー内部やクランク軸等への供給が十分に行われ、エンジン２内の各可動部の潤滑と冷却を支障なく行うことができるので、エンジン２は円滑に作動する。
【００４７】
なお、本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形が可能であるということは言うまでもない。
【符号の説明】
【００４８】
Ａ  草刈作業機
１  車台
２  エンジン
２０  シリンダーブロック
２１  油溜室
２２  ゲージ管
２３  ゲージ
２４  燃料タンク
２５  延長管
２６  キャップ
３  前輪
４  後輪
５  動力伝達系
６  操作ハンドル
６０  ワイヤ掛け具
６１  引っ張りワイヤ
７、７ａ  カッター
７０、７１  サイドカバー
７２  前部カバー
７３  後部カバー
７３０  上カバー
７３１  下カバー
７４  ワイヤ掛け具
【図１】
0005650972.tif 000002
【図２】
0005650972.tif 000003
【図３】
0005650972.tif 000004
【図４】
0005650972.tif 000005